(57)【特許請求の範囲】
【請求項１】
モルタルに、アクリル酸エステル共重合体を主成分とする複合ポリマーエマルジョンとセラミック粉とを混入して抗菌剤を生成し、同抗菌剤によるライニングを、透析する液体の流路内壁及び流路中に配設した仕切壁の両面に形成したことを特徴とする透析装置。
【請求項２】
モルタルに、アクリル酸エステル共重合体を主成分とする複合ポリマーエマルジョンとセラミック粉とを混入して抗菌剤を生成し、同抗菌剤によるライニングを、透析する液体の流路内壁及び流路中に配設した仕切筒の内外面に形成したことを特徴とする透析装置。
【発明の詳細な説明】
【０００１】
【発明の属する技術分野】
この発明は、滅菌、除菌作用を有する透析装置に関する。
【０００２】
【従来の技術】
従来、透析装置として、例えば、腎臓病患者等に用いるいわゆる人工腎臓と呼ばれるものがあり、低下した腎機能に代わるものとして使用され、血液を透析、浄化することができる。
【０００３】
すなわち、かかる人工腎臓にはセロハン膜や中空繊維状のセルロース膜等からなる半透膜を収容した浄化器が用いられており、同半透膜を利用して、血液中の尿素や尿酸等を透析、除去したり、血液中の老廃物等を含む溶液を引出して除去することができるものである。
【０００４】
また、かかる半透膜は、人工腎臓のみならず、広く血液の濾過にも使用されている。
【０００５】
【発明が解決しようとする課題】
ところが、上記した半透膜を利用した透析装置は、老廃物等の除去は可能であるが、細菌類の除去はできないものであった。
【０００６】
したがって、例えば、輸血用保存血液を上記半透膜に通しても細菌類は除去されずに残ったままとなり、かかる血液を輸血した患者は、輸血によって、例えばＣ型肝炎に感染する等のおそれがあった。
【０００７】
また、近年、社会的な問題となっている院内感染の代表的な菌である緑膿菌やＭＲＳＡ（メチシリン耐性黄色ブドウ球菌）等が輸血用保存血液に侵入するおそれがあり、これらは上記半透膜では除去できない。
【０００８】
本発明は、上記課題を解決することのできる透析装置を提供することを目的としている。
【０００９】
【課題を解決するための手段】
この発明は、モルタルに、アクリル酸エステル共重合体を主成分とする複合ポリマーエマルジョンとセラミック粉とを混入して抗菌剤を生成し、同抗菌剤によるライニングを、透析する液体の流路内壁及び流路中に配設した仕切壁の両面に形成したことを特徴とする透析装置に係るものである。
【００１０】
また、本発明は、モルタルに、アクリル酸エステル共重合体を主成分とする複合ポリマーエマルジョンとセラミック粉とを混入して抗菌剤を生成し、同抗菌剤によるライニングを、透析する液体の流路内壁及び流路中に配設した仕切筒の内外面に形成したことを特徴とする透析装置に係るものである。
【００１１】
【発明の実施の形態】
以下、本発明に係る透析装置の実施形態を図面に基づき説明する。
【００１２】
図１において、１は血液の流路を形成する細管であり、同細管１の内壁面に抗菌剤により形成したライニング２を設けている。
【００１３】
そして、かかる細管１を函体等に収容し、さらに、同細管１の終端を、セロハン膜等の半透膜を収容した図示しない浄化器に接続して透析装置Ａを構成している。
【００１４】
ライニング２は、細管１の全長にわたって設けられており、かつ、細管１を蛇行状に配設して、流れる血液とライニング２との接触時間を可及的に長くして滅菌効果を高めるようにしている。
【００１５】
抗菌剤は、モルタルに、アクリル酸エステル共重合体を主成分とする複合ポリマーエマルジョンとセラミック粉とを混入して生成したものである。
【００１６】
モルタルとしては、白色セメントまたはポルトランドセメントに、珪砂、鉄粉、亜鉛華、その他を混合したものを用いるのが好ましい。
【００１７】
また、複合ポリマーエマルジョンは、固形分として25〜50％含むアクリル酸エステル共重合体水溶液を用いるのが好ましい。
【００１８】
また、セラミック粉は、珪砂を焼結した後に粉状としたものが好適に用いられる。
【００１９】
さらに、複合ポリマーエマルジョンとセラミック粉を含めたモルタルとの混合比は、１：１〜１：6.5 とするのが好ましい。
【００２０】
上記抗菌剤は、特に、緑膿菌とＭＲＳＡ（メチシリン耐性黄色ブドウ球菌）にきわめて有効であり、同抗菌剤を使用した場合、所定時間後には緑膿菌が１／10以下に減少し、ＭＲＳＡに至っては、１／100 以下に減少することが実験的に確かめられている。なお、実験結果については後に詳述する。
【００２１】
したがって、上記抗菌剤を具備する透析装置Ａを利用すれば、緑膿菌、ＭＲＳＡ等の各種細菌類を滅菌、除菌することが可能となる。
【００２２】
例えば、輸血用保存血液を本発明に係る透析装置Ａにより滅菌、除菌をし、その後に輸血に用いれば、近年問題になっている輸血による思いがけない感染等を防止することができ、患者も安心して輸血を受けることができる。
【００２３】
図２及び図３に、本発明に係る透析装置Ａの特徴的な実施形態を示している。
【００２４】
図２に示したものは、細管１内に、一枚、あるいは複数枚の仕切壁1aを配設して、同仕切壁1aの両面にも抗菌剤によるライニング２を形成したものである。
【００２５】
これにより、血液と抗菌剤によるライニング２とがより密に接触することになり、滅菌、除菌効果を高めることができる。
【００２６】
また、図３に示したものは、細管１内に、同心円的に複数の仕切筒1bを配設し、各仕切筒1bの内外面に抗菌剤によるライニング２を形成したものである。
【００２７】
この場合においても、先の変形例と同様に、血液と抗菌剤によるライニング２とがより密に接触することになり、滅菌、除菌効果を高めることができる。
【００２８】
さらに、図４〜図６に、その他の実施形態を示している。
【００２９】
図４に示したものは、上記抗菌剤を膜状に形成し、流路中に複数の膜層を形成したものであり、図中、３は膜層であり、抗菌剤により形成した膜体3aを、先に説明した細管１内に一定の間隔をあけて多層に配設して構成している。なお、この場合、抗菌剤により形成した膜体3aにより血液中の老廃物等の不要物を除去することができるが、先に説明したように、細管１の終端には従来の半透膜を用いた浄化器等を接続することが好ましい。
【００３０】
図５に示したものは、抗菌剤を粒状に形成し、前記細管１中に充填したものであり、図中、４は抗菌剤により形成した粒体である。
【００３１】
また、図６に示したものは、前記膜層３内に、前記粒体４を充填したものであり、粒体４は上流側から下流側にいくにしたがって漸次小さく形成している。
【００３２】
なお、図５及び図６で示したものにおいても、前述したように、細管１の終端には従来の半透膜を用いた浄化器等を接続することが好ましい。
【００３３】
以下、上記してきた抗菌剤の製造方法について説明する。
【００３４】
先ず、複合ポリマーエマルジョンとして、以下の配合のものを用いた。
【００３５】
0003710849.tif 000002
また、以下の成分構成でも好適に用いることができる。
【００３６】
0003710849.tif 000003
また、上記複合ポリマーエマルジョンに混合するモルタルは、セラミック粉を含有した状態で以下の成分構成とした。
【００３７】
0003710849.tif 000004
なお、上記白色セメントの成分重量比は以下の通りとした。
【００３８】
0003710849.tif 000005
なお、この白色セメントに代えて、ポルトランドセメントを用いることもできる。
【００３９】
また、上記したセラミック粉としては、以下の組成のものを用いた。このセラミック粉は、廃材としての使用済碍子を磨砕して得たものであり、粒径は74μm 〜149 μm であった。
【００４０】
0003710849.tif 000006
上記した複合ポリマーエマルジョン１に対して、重量比で、モルタルを1.0 〜6.5 の割合で掻き混ぜて抗菌剤を製造する。
【００４１】
ここで、上記した抗菌剤の抗菌力測定試験の結果を以下に示す。
【００４２】
〔使用菌株〕
▲１▼ＭＲＳＡ(Methicillin resistant Staphylococcus aureus)
▲２▼緑膿菌（Pseudomonas aeruginosa)
〔試験方法〕
1)  試料の準備
抗菌剤を厚さ１mmの膜状に形成し、20mmの正方形に裁断し、オートクレイブで加圧滅菌した。
【００４３】
2)  培養試験
ブレインハートインフュージョン寒天培地で24時間培養した菌を滅菌リン酸緩衝食塩液(PBS) に108 個／mlとなるように懸濁した。これを原菌液として10倍段階希釈し、106 個／mlに調整した試験菌懸濁液を試料となる抗菌剤上に接種した後、35℃で18時間、フ卵器内で湿潤静置培養した。
【００４４】
培養後、滅菌PBS 20mlに試料を入れ、ストマッカーで30秒間振とうし、試料中の生菌を液中に分散させた。さらに、分散液を原液として10倍段階希釈した後、原液と各段階の希釈液をそれぞれ１mlずつ２枚のシャーレに取り標準寒天培地で混釈平板とし、37℃、48時間培養した。培養後出現した集落数から、生菌数を算出し、菌の減少率から試料の抗菌力を判定した。
減少率（％）＝
（初発菌数−18時間後の菌数）／初発菌数×100
3)結果
ＭＲＳＡ50株に対する抗菌力
全株99％以上の減少率で、培養18時間後の菌数は、初発菌数に比べ、1/100 以下に減少した。
緑膿菌50株に対する抗菌力
全株90％以上の減少率で、培養18時間後の菌数は、初発菌数に比べ、1/10以下に減少した。
【００４５】
以上説明してきたように、本発明に係る透析装置Ａでは、モルタル内に混入した複合ポリマーエマルジョンとセラミック粉の保有する良好な抗菌力によって、ＭＲＳＡ及び緑膿菌等の細菌を著しく減少させることができる。
【００４６】
【発明の効果】
本発明に係る透析装置は、モルタルに、アクリル酸エステル共重合体を主成分とする複合ポリマーエマルジョンとセラミック粉とを混入して抗菌剤を生成し、同抗菌剤によるライニングを、透析する液体の流路内壁及び流路中に配設した仕切壁の両面、又は、仕切筒の内外面に形成している。
【００４７】
したがって、従来の透析装置のように、単に老廃物などの除去を行うばかりでなく、細菌類の除去が可能となるので、輸血用保存血液の浄化等に利用すれば、輸血による感染等を防止することができ、特に医学の分野に大いに貢献することができる。しかも、血液と抗菌剤によるライニングとがより密に接触するので、滅菌、除菌効果が高まる。
【図面の簡単な説明】
【図１】本発明に係る透析装置の説明図である。
【図２】同透析装置の第１の変形例を示す説明図である。
【図３】同透析装置の第２の変形例を示す説明図である。
【図４】同透析装置の他の実施形態を示す説明図である。
【図５】同透析装置の他の実施形態を示す説明図である。
【図６】同透析装置の他の実施形態を示す説明図である。
【符号の説明】
Ａ  透析装置
１  細管
1a  仕切壁
1b  仕切筒
２  ライニング
３  膜層
3a  膜体
４  粒体
【図１】
0003710849.tif 000007
【図２】
0003710849.tif 000008
【図３】
0003710849.tif 000009
【図４】
0003710849.tif 000010
【図５】
0003710849.tif 000011
【図６】
0003710849.tif 000012